(57)【要約】【課題】レンズ鏡筒に対して、簡単な操作により短時間でシートフィルタホルダを着脱可能にすること。【解決手段】レンズ鏡筒のフィルタ装着部５４に着脱可能に装着されるシートフィルタホルダ１は、２枚のリング状のシートフィルタ枠２、３と、これらを開閉可能に連結しているスプリングピン４とを有している。シートフィルタ２には２箇所にバヨネット爪２３、２４が形成されている。シートフィルタ枠２、３を開閉することにより、それらの間に取り付けたシートフィルタ１０を交換できる。所望の光学特性のシートフィルタ１０を取り付けたシートフィルタホルダ１は、レンズ鏡筒のフィルタ装着部に形成されているバヨネット爪嵌め込み溝に、バヨネット爪２３、２４を嵌めこむという簡単な操作により装着でき、取り外しも簡単にできる。【選択図】      図１
2004348042.tif 000002
【特許請求の範囲】
【請求項１】
レンズ鏡筒に形成されたフィルタ装着部に着脱可能に装着されるシートフィルタホルダであって、
第１のシートフィルタ枠と、
前記第１のシートフィルタ枠との間にシートフィルタを挟持可能な第２のシートフィルタ枠と、
前記第１および第２のシートフィルタ枠を開閉可能に連結している連結部材と、
前記第１および／または第２のシートフィルタ枠に形成されたバヨネット爪あるいはバヨネット爪嵌め込み溝とを有しているシートフィルタホルダ。
【請求項２】
請求項１において、
前記第１および第２のシートフィルタ枠はリング状のものであるシートフィルタホルダ。
【請求項３】
請求項１または２において、
前記連結部材はスプリングピンであるシートフィルタホルダ。
【請求項４】
請求項１ないし３のうちのいずれかの項において、
前記第１および第２のシートフィルタ枠を閉じ状態に保持可能な保持部を有しているシートフィルタホルダ。
【請求項５】
請求項１ないし４のうちのいずれかの項において、
前記連結部材は、前記第１および第２のシートフィルタ枠の開き角を規制するものであるシートフィルタホルダ。
【請求項６】
請求項１ないし５のうちのいずれかの項において、
前記第１および第２のシートフィルタ枠にはつや消し表面処理が施されているシートフィルタホルダ。
【請求項７】
請求項６において、
前記つや消し表面処理は、前記第１および第２のシートフィルタ枠の表面への固体潤滑塗料の塗布であるシートフィルタホルダ。
【請求項８】
請求項１ないし７のうちのいずれかの項に記載の前記シートフィルタホルダを着脱可能に装着するためのフィルタ装着部を有し、当該フィルタ装着部は前記バヨネット爪を嵌め込み可能なバヨネット爪嵌め込み溝、あるいは前記バヨネット爪嵌め込み溝に嵌め込み可能なバヨネット爪を備えているレンズ鏡筒。
【請求項９】
請求項８において、
前記フィルタ装着部は、レンズマウント側端面、またはレンズマウントカバー側面部に形成されているレンズ鏡筒。
【請求項１０】
請求項１ないし７のうちのいずれかの項に記載の前記シートフィルタホルダと、
請求項８または９に記載のレンズ鏡筒と、
の組合せからなるレンズユニット。
【発明の詳細な説明】
【０００１】
【発明の属する技術分野】
本発明は、超広角レンズ、大口径の超望遠レンズなどのレンズ鏡筒に着脱可能に装着されるシートフィルタホルダに関するものである。また、当該シートフィルタホルダが着脱可能に装着されるフィルタ装着部を備えたレンズ鏡筒に関するものである。
【０００２】
【従来の技術】
カメラ用の光学アクセサリとして、超広角レンズ、大口径の超望遠レンズなどのレンズ鏡筒に取り付けて使用する様々な光学特性を備えたシートフィルタが知られている。シートフィルタはシートフィルタ枠に固定されたシートフィルタホルダとして提供されており、レンズ鏡筒の前端に装着するタイプのもの、レンズ鏡筒に形成した差込部に差し込むタンプのもの、およびレンズ鏡筒の後端面（レンズマウント側端面）に装着するタイプのものが知られている。超広角レンズ、大口径の超望遠レンズなどにおいては、一般に、取り付けが容易なレンズ鏡筒の後端側にシートフィルタホルダが取り付けられる。また、レンズ鏡筒に差し込むタイプのものは、例えば下記の特許文献に開示されている。
【０００３】
【特許文献】
特開２０００−８９２９８号公報
【０００４】
【発明が解決しようとする課題】
しかしながら、レンズ鏡筒の前端あるいは後端に取り付けられるシートフィルタホルダは、その取り付け、取り外し作業が面倒であり、フィルタ交換を迅速に行うことが困難であり、撮影チャンスなどを逃がす惧れがある。
【０００５】
すなわち、シートフィルタホルダは複数本のねじによってレンズ鏡筒のレンズマウントカバーなどの部材にねじ止め固定されている。したがって、フィルタ交換に際しては複数本のねじの着脱が必要であり、その作業が煩雑である。また、取り付け、取り外しの作業中にシートフィルタを破損する惧れもある。さらに、レンズ鏡筒の側の取り付け面にもねじ止めのためのタップ加工が必要であり、シートフィルタホルダの取り付け機構を廉価に構成することが困難である。
【０００６】
さらには、カメラからレンズユニットを取り外す度にシートフィルタホルダも取り外す必要があるので、度重なるねじ止め、ねじ外しによりシートフィルタホルダを構成しているプレス部品などが変形する危険性が高い。また、化粧ねじを使用している都合上、取り外す度に新品のねじを使用しなければならないので、メンテナンス時におけるコスト負担が大きいという問題点がある。
【０００７】
これに加えて、必要な種類のシートフィルタを準備しておき、必要に応じてフィルタホルダへの交換を行わなければならないので、不便である。
【０００８】
一方、従来の差込式のタイプのものは、各シートフィルタをシートフィルタホルダごと用意できるが、そのホルダ本体が高価であるという問題点がある。
【０００９】
本発明の課題は、このような点に鑑みて、シートフィルタが交換可能な状態で保持されている廉価な構成のシートフィルタホルダを提案することにある。
【００１０】
また、本発明の課題は、レンズ鏡筒に対する着脱作業を簡単に行うことのできるシートフィルタホルダを提案することにある。
【００１１】
さらに、本発明の課題は、シートフィルタホルダの着脱を簡単に行うことのできるフィルタ装着部を備えたレンズ鏡筒を提案することにある。
【００１２】
【課題を解決するための手段】
上記の課題を解決するために、本発明は、レンズ鏡筒に形成されたフィルタ装着部に着脱可能に装着されるシートフィルタホルダであって、
第１のシートフィルタ枠と、
前記第１のシートフィルタ枠との間にシートフィルタを挟持可能な第２のシートフィルタ枠と、
前記第１および第２のシートフィルタ枠を開閉可能に連結している連結部材と、
前記第１および／または第２のシートフィルタ枠に形成されたバヨネット爪あるいはバヨネット爪嵌め込み溝とを有していることを特徴としている。
【００１３】
シートフィルタの形状としては、光学性能劣化防止を加味しつつ、最小限の構成を必要とすることから、前記第１および第２のシートフィルタ枠としてリング状のものを採用すればよい。
【００１４】
また、第１および第２のシートフィルタ枠を閉じ状態、所定の開き状態に保持できるように、前記連結部材としてスプリングピン、または圧入可能な弾性を持たせたピン部材を用いることが望ましい。
【００１５】
さらに、第１および第２のシートフィルタ枠に挟まれたシートフィルタのずれおよび落下を確実に防止するためには、前記第１および第２のシートフィルタ枠を閉じ状態に保持可能な保持部を備えていることが望ましく、ユーザーが閉じた状態を認識出来るようにクリック感を持たせればなお良い。
【００１６】
また、開き過ぎによるシートフィルタ枠の変形を防止するためには、前記連結部材はシートフィルタ枠の開き角を制限可能なものであることが望ましい。
【００１７】
次に、前記第１および第２のシートフィルタ枠にはつや消し表面処理を施すことが望ましい。このようにすれば、これらの部材の内面反射に起因するカメラの光学性能劣化を防止できる。
【００１８】
このつや消し表面処理としては、前記第１および第２のシートフィルタ枠の表面へ固体潤滑塗料を塗布する方法を採用できる。このようにすれば、シートフィルタホルダをレンズ鏡筒のフィルタ装着部に装着する際の装着抵抗を低減できるので、フィルタ交換作業の操作性および着脱感が改善される。
【００１９】
次に、本発明はレンズ鏡筒に関するものであり、上記構成のシートフィルタホルダを着脱可能に装着するためのフィルタ装着部を有し、当該フィルタ装着部にバヨネット嵌め込み溝が形成されていることを特徴としている。シートフィルタホルダにバヨネット嵌め込み溝が形成されている場合には、フィルタ装着部に、バヨネット嵌め込み溝に嵌め込み可能なバヨネット爪を形成しておけばよい。また、前記フィルタ装着部をレンズマウント側端面または、マウントカバー側面部に形成することができる。
【００２０】
次に、本発明はカメラ用のレンズユニットに関するものであり、上記構成のシートフィルタホルダと、上記構成のレンズ鏡筒との組合せからなることを特徴としている。
【００２１】
【発明の実施の形態】
以下に、図面を参照して、本発明を適用したシートフィルタホルダおよびレンズ鏡筒を説明する。
【００２２】
図１（ａ）、（ｂ）および（ｃ）は本発明を適用したシートフィルタホルダを示す平面図、側面図、およびｃ−ｃ線で切断した部分の断面図であり、図２はシートフィルタの取り付け動作を示す説明図である。本実施の形態に係るシートフィルタホルダ１は、２枚のリング状のシートフィルタ枠２、３と、これらを開閉可能な状態で連結しているスプリングピン４から構成されている。
【００２３】
シートフィルタ枠２、３は同一径の金属プレス品であり、シートフィルタ２の外周端面には一定の幅で半径方向の外方に突出している突出部分２１が形成され、この突出部分２１にはスプリングピン４の挿入穴２２が形成されている。他方のシートフィルタ枠３には、突出部分２１を両側から挟む状態で、外周端面から半径方向の外方に突出した一定幅の一対の突出部分３１、３２が形成されており、これらの突出部分３１、３２には、突出部分２１に開けた挿入穴２２と同軸状態となるように、スプリングピン４の挿入穴３３、３４が形成されている。
【００２４】
これらの挿入穴２２、３３、３４にスプリングピン４が挿入されており、ここを中心としてシートフィルタ枠２、３は開閉可能となっている。スプリングピン４を多少圧入気味に挿入すると、シートフィルタ枠２、３の開閉に対する所定の抵抗力が得られるので、所望の開き状態にシートフィルタ枠２、３を保持でき、フィルタ取り付け時の操作性が向上する。
【００２５】
次に、一方のシートフィルタ枠２には、その突出部分２１から左右に９０度の角度位置の部位に、外周端面から一定幅で外方に突出しているバヨネット爪２３、２４が一体形成されている。これらのバヨネット爪２３、２４は、シートフィルタ枠２の表面２ａからその厚さ分だけ段差の付いた状態で外方に突出している。
【００２６】
また、本例のシートフィルタ枠２、３の表面には、固体潤滑剤からなる塗料が塗布され、これにより、艶消し処理が施されている。
【００２７】
この構成のシートフィルタホルダ１においては、図２に示すように、スプリングピン４を中心にシートフィルタ枠２、３を開く。この状態で、円形のシートフィルタ１０をこれらの間に入れる。シートフィルタ１０の外径寸法はシートフィルタ枠２、３の外径寸法よりも僅かに小さい。この状態で、シートフィルタ枠２、３を閉じて、それらの間にシートフィルタ１０を挟持し、これにより、シートフィルタホルダ１へのシートフィルタ１０の取り付けが終了する。
【００２８】
ここで、図１において想像線で示すように、シートフィルタ枠３の開閉側の外周端部分を他方のシートフィルタ枠２の側に湾曲状態で延長させた外側に弾性変形可能な保持爪３５を形成してもよい。シートフィルタ枠２、３の閉じ状態では、保持爪３５によってこれらが閉じ状態に保持される。シートフィルタ枠２、３に対して、それらを開ける方向の力を加えると、保持爪３５が外側に弾性変形して、保持爪３５による係合が外れるので、簡単にシートフィルタ枠２、３を開くことができる。このような保持爪３５からなるクリック機構を設けると、シートフィルタ枠２、３を閉じ状態に確実に保持できるので、外部から振動が作用した場合などにおいても、それらの間に挟まれているシートフィルタ１０のずれを確実に防止できる。加えて、シートフィルタホルダ交換時のシートフィルタ落下も防止できる。また、クリック機構を用いれば、シートフィルタ枠２、３の円滑な開閉操作が妨げられることもない。
【００２９】
図３（ａ）および（ｂ）は、上記構成のシートフィルタホルダ１が着脱可能に装着されるカメラ用のレンズ鏡筒のレンズマウント側端面、またはレンズマウントカバー側面部に取り付けられているマウントカバー部材を示す正面図および部分断面図である。レンズ鏡筒のマウントカバー部材５０は、円筒状本体５１と、この円筒状本体５１の端から外側に広がっている段面部分５２と、この段面部分５２の外周縁に形成されている円形外周板部分５３とを備えており、段面部分５２と円形外周板部分５３の内周面５３ａとによって規定される円形凹部がフィルタ装着部５４とされている。
【００３０】
このフィルタ装着部５４には、シートフィルタホルダ１を軸線５０ａの方向から装着可能な一段深いリング状凹部５５が形成されている。このリング状凹部５５は、段面部分５２と内周端面５６とによって規定されている。内周端面５６の一部には、シートフィルタホルダ１の突出部分２１、３１、３２を装着できるように、半径方向の外側に後退した部分５６ａが形成されており、この部分５６ａは、シートフィルタホルダ１をその軸線を中心として所定角度だけ時計周りに回すことができるように時計回り方向に所定の角度範囲に亘って形成されている。
【００３１】
また、この部分５６ａから左右に９０度の角度の部位には、内周端面５６を半径方向に後退させることにより形成したバヨネット爪挿入部５７、５８が形成されている。これらのバヨネット爪挿入部５７、５８は、それぞれ、内周端面５６に形成した円周方向に延びるバヨネット爪嵌め込み溝５９、６０に連続している。バヨネット爪嵌め込み溝５９、６０は、時計回りの方向に所定の角度範囲に亘って形成されている。
【００３２】
このように構成されているフィルタ装着部５４に対するシートフィルタホルダ１の着脱動作を説明する。図３（ａ）において想像線で示すように、シートフィルタホルダ１の突出部分２１、３１、３２が部分５６ａに、また、バヨネット爪２３、２４がバヨネット爪挿入部５７、５８に、それぞれ一致するように、シートフィルタホルダ１をフィルタ装着部５４に対して位置決めし、しかる後に、当該シートフィルタホルダ１を軸線５０ａの方向に押し込む。
【００３３】
この後は、シートフィルタホルダ１を、段面部分２２に押付けながら、図３（ａ）の矢印Ａで示すように、時計回りの方向に回す。この結果、左右のバヨネット爪２３、２４がバヨネット爪嵌め込み溝５９、６０に嵌り込む。これにより、シートフィルタホルダ１がフィルタ装着部５４に固定される。
【００３４】
シートフィルタホルダ１をフィルタ装着部５４から取り外す場合には、上記とは逆に、シートフィルタホルダ１を反時計回りに回して、バヨネット爪２３、２４を、バヨネット爪嵌め込み溝５９、６０から外す。この後は、シートフィルタホルダ１を軸線５０ａの方向に沿って取り出すことができる。
【００３５】
このように、レンズ鏡筒のレンズマウント側端面、またはレンズマウントカバー側面部に形成されたフィルタ装着部５４に対するシートフィルタホルダ１の着脱をワンタッチで簡単に行うことができる。また、本例では、シートフィルタホルダ１の構成部品であるシートフィルタ枠２、３の表面に固体潤滑剤を塗布してあるので、フィルタ装着部５４に対する着脱時における摩擦抵抗を低減できる。よって、着脱時の操作性が改善される。さらには、固体潤滑剤を塗布することにより、シートフィルタホルダ１の表面は艶消し処理がなされた状態となっている。よって、レンズ鏡筒に取り付けたシートフィルタホルダ１による内面反射に起因してカメラの光学特性が劣化するなどの弊害も発生しない。
【００３６】
なお、バヨネット爪２３、２４に弾性特性を付与しておき、バヨネット爪嵌め込み溝５９、６０に嵌め込まれた場合に、バヨネット爪２３、２４をシートフィルタ枠３の方に弾性変形させるようにすれば、シートフィルタホルダ１を確実にフィルタ装着部に固定でき、振動などによってシートフィルタホルダ１が外れることを防止できる。また、シートフィルタ枠２、３に挟まれているシートフィルタ１０がずれることも確実に防止できるので好ましい。
【００３７】
（その他の実施の形態）
上記の例ではシートフィルタ枠を開閉可能に連結するためにスプリングピンを用いているが、スプリングピン以外の連結部品を用いることもできる。また、シートフィルタ枠はリング状以外の形状とすることも可能である。
【００３８】
さらに、シートフィルタ枠の連結部品として、これらの開き角度を規制可能なものを用いると、開き過ぎによるシートフィルタ部材の変形を防止できる。
【００３９】
また、上記の例では、シートフィルタホルダの側にバヨネット爪を形成し、フィルタ装着部にバヨネット爪嵌め込み溝を形成してあるが、逆に、シートフィルタホルダの側にバヨネット爪嵌め込み溝を形成し、フィルタ装着部にバヨネット爪を形成してもよい。
【００４０】
【発明の効果】
以上説明したように、本発明のシートフィルタホルダは、シートフィルタを挟持可能な２枚のシートフィルタ枠をスプリングピンなどの連結部材によって開閉可能に連結した構成となっている。よって、簡単な操作によって、各種の光学特性のシートフィルタを取り付けることができる。
【００４１】
また、本発明のシートフィルタホルダは、バヨネット方式により、レンズ鏡筒のフィルタ装着部に対して着脱できるので、簡単かつ迅速にフィルタ交換を行うことが可能になる。
【００４２】
さらに、本発明のシートフィルタホルダは部品点数が少なく簡単な構成であるので、廉価に構成できる。同様に、レンズ鏡筒に形成したフィルタ装着部もバヨネット方式によりシートフィルタホルダを装着する簡単な構成であるので、廉価に構成できる。
【図面の簡単な説明】
【図１】（ａ）、（ｂ）および（ｃ）は、本発明を適用したシートフィルタホルダを示す平面図、側面図、およびｃ−ｃ線で切断した部分の断面図である。
【図２】シートフィルタの取り付け動作を示す説明図である。
【図３】（ａ）および（ｂ）は、図１のシートフィルタホルダが着脱可能に装着されるカメラ用のレンズ鏡筒のレンズマウント側端面に取り付けられているマウントカバー部材を示す正面図および部分断面図である。
【符号の説明】
１    シートフィルタホルダ
２、３  シートフィルタ枠
４    スプリングピン
２１、３１、３２  突出部分
２２、３３、３４  ピン挿入穴
２３、２４  バヨネット爪
３５  保持爪
１０  シートフィルタ
５０  マウントカバー部材
５０ａ  軸線
５４  フィルタ装着部
５５  リング状凹部
５７、５８  挿入部
５９、６０  バヨネット爪嵌め込み溝
【図１】
2004348042.tif 000003
【図２】
2004348042.tif 000004
【図３】
2004348042.tif 000005